(57)【要約】      （修正有）【課題】毛髪が回転軸に巻き付いてしまうことや、衣服や皮膚が巻き込まれてしまったりすることを防止することが可能な電動式ローラマッサージ機を提供する。【解決手段】電動式ローラマッサージ機１が、電動機１０３と、下方に延びる第１の回転軸Ａと、第１の回転軸に伝達機構を介してそれぞれ係合されて第１の回転軸を中心に等間隔で放射方向に伸びる複数の等長の第２の回転軸Ｂ１，Ｂ２，Ｂ３と、第２の回転軸にそれぞれ軸止された、外周に沿って多数の弾性突起を所定間隔で突設させた複数の円盤状の刺激付与体であるマッサージローラ１１０Ａ〜１１０Ｃと、開口を備える。さらに、電動機、第１の回転軸、第２の回転軸及び刺激付与体の弾性突起の少なくとも一部を露出させて覆い、かつこれらを直接又は他の部材を介して保持する筐体１００と、筐体の弾性突起の露出した領域を覆い縁部が直接又は他の部材を介して筐体に固定された柔軟かつ非伸縮性または伸縮の小さい布状又はシート状のカバー体を備える。【選択図】図１
0003174864.tif 000002
【実用新案登録請求の範囲】
【請求項１】
電動機と、
前記電動機によって駆動される下方に延びる第１の回転軸と、
前記第１の回転軸に伝達機構を介してそれぞれ係合されて、前記第１の回転軸を中心に等間隔で放射方向に伸びる複数の等長の第２の回転軸と、
前記第２の回転軸にそれぞれ軸止された、外周に沿って多数の弾性突起を所定間隔で突設させた複数の円盤状の刺激付与体と、
開口を有し、前記電動機、第１の回転軸、第２の回転軸及び前記刺激付与体の弾性突起の少なくとも一部を露出させて覆い、かつこれらを直接又は他の部材を介して保持する筐体と、
前記筐体の前記弾性突起の露出した領域を覆い縁部が直接又は他の部材を介して前記筐体に固定された柔軟かつ非伸縮性または伸縮の小さい布状又はシート状のカバー体と
を備えることを特徴とする電動式ローラマッサージ機。
【請求項２】
前記各刺激付与体が同径で、それぞれ第１の回転軸と直交する面と外周が接するように配置されていることを特徴とする請求項１記載の電動式ローラマッサージ機。
【請求項３】
前記刺激付与体の弾性突起は、ゴム又は発泡プラスチックからなることを特徴とする請求項１又は２に記載の電動式ローラマッサージ機。
【請求項４】
前記カバー体が、布帛または表面がコーティングされた布帛からなることを特徴とする請求項１乃至３のいずれか１項記載の電動式ローラマッサージ機。
【請求項５】
前記筐体内には、前記電動機を駆動する充電可能な電池が収納され、前記筐体を貫通して前記電池へ充電する給電手段が配設されていることを特徴とする請求項１乃至４のいずれか１記載の電動式ローラマッサージ機。
【請求項６】
前記カバー体を前記筐体の開口部に係止可能な係止部を前記カバー体及びまたは前記筐体が備えること
を特徴とする請求項１乃至５のいずれか１項記載の電動式ローラマッサージ機。
【請求項７】
前記係止部が、前記筐体の開口部を締め付けることによって前記カバー体を前記筐体の開口部に係止させるゴム体または、前記カバー体及びまたは前記筐体の開口部それぞれに設けられた突起物であること
を特徴とする請求項１乃至６のいずれか１項記載の電動式ローラマッサージ機。
【考案の詳細な説明】
【技術分野】
【０００１】
本考案は、電動式ローラマッサージ機に関する。
【背景技術】
【０００２】
従来から、マッサージ器として、筐体内に、電動機とこれによって駆動される回転軸の方向の異なる複数のマッサージローラを周面の一部が同一平面となるよう収容し、筐体に設けた開口部から各マッサージローラの同一平面とした周面の一部を露出させ、露出したマッサージローラの周面を人体の皮膚面に接触させてマッサージ効果を得るようにしたものが知られている（例えば、特許文献１参照）。
また、このマッサージローラの周面に軟質弾性材料からなる突起部を歯車状に突設して、マッサージローラの周面の摩擦によるマッサージ効果に加えて回転時におけるこれらの突起部によるパルス状の押圧によるマッサージ効果も得られるようにしたマッサージ器も提案されている。
【先行技術文献】
【特許文献】
【０００３】
【特許文献１】実開平５−９１６５７号公報
【考案の概要】
【考案が解決しようとする課題】
【０００４】
しかし、これらのマッサージ器に用いられるマッサージローラは、比較的小径で周面と回転軸との間が接近しているため、首筋などをマッサージする際に、毛髪が回転軸に巻き付きやすかったり、使用者の腹部をマッサージする際に衣服や皮膚を巻き込んでしまったりするという問題があった。
本考案は、上記した事情に鑑みてなされたものであり、毛髪が回転軸に巻き付いてしまうことや、衣服や皮膚が巻き込まれてしまったりすることを防止することが可能な電動式ローラマッサージ機を提供することを目的とする。
【課題を解決するための手段】
【０００５】
本考案の電動式ローラマッサージ機は、電動機と、前記電動機によって駆動される下方に延びる第１の回転軸と、前記第１の伝達機構を介してそれぞれ係合されて前記第１の回転軸を中心に等間隔で放射方向に伸びる複数の等長の第２の回転軸と、前記第２の回転軸にそれぞれ軸止された、外周に沿って多数の弾性突起を所定間隔で突設させた複数の円盤状の刺激付与体と、開口を有し、前記電動機、第１の回転軸、第２の回転軸及び前記各回転円板の弾性突起の少なくとも一部を露出させて覆い、かつこれらを直接又は他の部材を介して保持する筐体と、前記筐体の前記弾性突起の露出した領域を覆い縁部が直接又は他の部材を介して前記筐体に固定された柔軟かつ非伸縮性または伸縮の小さい布状又はシート状のカバー体とを備えることを特徴とする。
【０００６】
本考案の電動式ローラマッサージ機は、各刺激付与体が同径で、それぞれ第１の回転軸と直交する面と外周が接するように配置されることが望ましい。そして刺激付与体の弾性突起は、ゴム又は発泡プラスチックからなることが望ましい。
本考案の電動式ローラマッサージ機は、カバー体が、布帛または表面がコーティングされた布帛から構成される。
【０００７】
本考案の電動式ローラマッサージ機は、電動機を駆動する充電可能な電池と、電池へ充電し、筐体側に露出する給電手段とを備える場合もある。また、カバー体を筐体の開口部に係止可能な係止部をカバー体及びまたは筐体が備えることもある。さらにこの係止部は、筐体の開口部を締め付けることによってカバー体を筐体の開口部に係止させるゴム体または、カバー体及びまたは筐体の開口部それぞれに設けられた突起物であることが望ましい。
【考案の効果】
【０００８】
本考案の電動式ローラマッサージ機によれば、毛髪が回転軸に巻き付いてしまうことや、衣服や皮膚が巻き込まれてしまったりすることを防止することが可能となる。
【図面の簡単な説明】
【０００９】
【図１】電動式ローラマッサージ機１の模式図。
【図２】電動式ローラマッサージ機１を下端側から見た平面図。
【図３】カバー２０を示す斜視図。
【図４】電動式ローラマッサージ機１にカバー２０を取り付けた模式図。
【図５】カバー２０の変形例であるカバー１２０を示す斜視図。
【図６】電動式ローラマッサージ機１にカバー１２０を取り付けるための模式図。
【考案を実施するための形態】
【００１０】
［実施形態］
以下、実施の形態を図に基づき説明する。本実施形態の電動式ローラマッサージ機１は、図１、２に示す本体１０と図３に示すカバー２０とから主に構成される。
（本体１０について）
図１、２に示すように本体１０は、筐体１００を備える。筐体１００は開口部を有する幅広の下端と、この下端よりも幅狭である上端を有する円錐形状に形成されており、上端の上面には商用電源から電力を供給されるための電源接続端子１０１が設けられ、側面には、使用者によって握持されるための凹状の握持部１０２が設けられている。筐体１００の表面には、筐体１００内部で電動機である電動モータ１０３と電気的に接続され、この電動モータ１０３の駆動をＯＮ・ＯＦＦするためのスイッチ１０４が設けられている。
【００１１】
筐体１００は、電動モータ１０３、第１の回転軸として機能する電動モータ１０３の主軸Ａによって回転駆動させられる伝達機構の一部である回転盤１０４、電動モータ１０３と回転盤１０４との間に介在された伝達機構の他部であるギアボックス１０６、商用電源から供給される電力によって充電され、商用電源からの電力の供給が困難な場合に電動モータ１０３を駆動可能な二次電池１０８などを内蔵する。
筐体１００の下端には、第２の回転軸として機能する回転軸Ｂ１〜Ｂ３を介してそれぞれが回転盤１０４と接続され、回転軸Ｂ１〜Ｂ３に対してそれぞれ回転自在（図１の矢印参照。）に設けられる刺激付与体である複数のマッサージローラ１１０Ａ〜１１０Ｃが配置される。マッサージローラ１１０Ａ〜１１０Ｃは、一部が筐体１００の開口に覆われており、他部が筐体１００の開口から外に露出している。
【００１２】
マッサージローラ１１０Ａ〜１１０Ｃはそれぞれ同様の構成を備える。図２に示すように、マッサージローラ１１０Ａ〜１１０Ｃは、それぞれ１対のローラ１１０ａ及びローラ１１０ｂから構成されている。１対のローラ１１０ａ及びローラ１１０ｂは、それぞれ円盤状に形成されており、その外周面には適度に弾性を有し、使用者の肌面に刺激を与えるための複数の棘１１２が周方向に沿って歯車状に突設されている。１対のローラ１１０ａ及びローラ１１０ｂは、ゴム又は発泡プラスチックで形成されることが望ましい。
ここでは棘１１２を含む１対のローラ１１０ａ及びローラ１１０ｂの直径は、それぞれ４．５ｃｍであり、このうち、棘１１２一個あたりの高さは０．８ｃｍである。ローラ１１０ａ及びローラ１１０ｂに形成される棘１１２の数は、１３個である。もちろん、これらの高さや個数などは一例であり、例えば棘１１２を含む１対のローラ１１０ａ及びローラ１１０ｂの直径を４ｃｍ〜５ｃｍの範囲で適宜設定してもよいし、さらに短くまたはさらに長くなるように設定することも可能である。同様に、棘１１２一個あたりの高さを０．６〜１．０ｃｍの範囲で適宜設定してもよいし、さらに短くまたはさらに長くなるように設定することも可能である。ローラ１１０ａ及びローラ１１０ｂに形成される棘１１２の数も１個以上であれば、適宜設定してよい。
このような構成を有するマッサージローラ１１０Ａ〜１１０Ｃは、回転盤１０４の円周方向にそれぞれ１２０度ずつずらされて設けられた回転軸Ｂ１〜Ｂ３によって、それぞれ軸止される。結果として、マッサージローラ１１０Ａ〜１１０Ｃはそれぞれ１２０度ずつずらされて筐体１００下端の開口に配置されることになる。
【００１３】
以上のような構成を有する本体１０では、スイッチ１０４のＯＮ・ＯＦＦによって電動モータ１０３の駆動が制御され主軸Ａが回転する。主軸Ａの回転速度は、ギアボックス１０６によって最適な速度に変換されて回転盤１０４に伝達され、結果的に回転盤１０４が回転駆動する。
回転盤１０４が回転駆動すると、回転軸Ｂ１〜Ｂ３によって回転盤１０４に接続されたマッサージローラ１１０Ａ〜１１０Ｃはそれぞれが一体となって、回転盤１０４と共に図２の矢印方向に回転駆動する。この状態のときに、使用者が握持部１０２を握り、マッサージローラ１１０Ａ〜１１０Ｃを使用者の肌面に当接させることで、回転軸Ｂ１〜Ｂ３に軸止されたマッサージローラ１１０Ａ〜１１０Ｃは、図１の矢印のように、肌面上でそれぞれが独立的にかつ同方向に回転駆動する。この結果、回転盤１０４の回転駆動に合わせて複数の棘１１２が使用者の肌面を滑らかに転動し、肌面をタッピングする。このタッピングによって肌面にマッサージ効果を与えることができる。
【００１４】
（カバー２０について）
図３に示すようにカバー２０は、使用者の肌面に接触する肌接触面２１、本体１０の開口を覆い棘１１２と接触する棘接触面２３、カバー２０を本体１０の下端に係止するためのゴム体を内蔵する取付部２４とを有する。
カバー２０は、伸縮性・可撓性に優れた布体である。カバー２０は、布帛または表面がコーティングされた布帛からなり、ナイロン、ポリウレタン、ポリエステルなどの合成繊維、レーヨン、アセテートなどのなどの再生繊維、麻や木綿などの天然繊維のいずれかを使用して巾着状に形成されている。
図４に示すように、カバー２０は、筐体１００の開口及びマッサージローラ１１０Ａ〜１１０Ｃを覆うようにして本体１０の下端に装着される。この時、取付部２４によって、カバー２０が本体１０から自然に取れてしまうことが防止される。カバー２０が本体１０の下端に取り付けられたとき、マッサージローラ１１０Ａ〜１１０Ｃの高さに応じて、カバー２０には全体的に縦方向の張力Ｆａがかかる。この結果、棘１１２と棘接触面２３との接触部である接触部ｔａ−ｔｂ間には張力Ｆｂがかかり、肌接触面２１がピンと張った状態になる。
【００１５】
この状態のときにスイッチ１０４のＯＮ・ＯＦＦによって電動モータ１０３の駆動が制御されると、マッサージローラ１１０Ａ〜１１０Ｃは、棘１１２が棘接触面２３に常時接触しつつ、カバー２０の伸縮性・可撓性によってカバー２０内で回転盤１０４と一体的に滑らかに回転駆動する。そして、すでに述べたように回転軸Ｂ１〜Ｂ３に軸止されたマッサージローラ１１０Ａ〜１１０Ｃは、それぞれが独立的に回転駆動し（図１の矢印参照）、複数の棘１１２がカバー２０を介して使用者の肌面を滑らかに転動して、肌面をタッピングする。
【００１６】
カバー２０を本体１０の下端に取り付けることで、マッサージローラ１１０Ａ〜１１０Ｃがカバー２０に覆われるので、毛髪が回転軸Ｂに巻き付きついてしまったり、マッサージローラ１１０Ａ〜１１０Ｃ間の隙間に使用者の衣服や皮膚が巻き込まれるようにして引き込まれてしまったりすることを確実に防止することができる。さらに、かつカバー２０の伸縮性・可撓性によって肌面を確実にタッピングすることができる。
【００１７】
以上、本考案の実施形態について説明したが、本考案に係る電動式ローラマッサージ機１は種々の変形が可能である。例えば、カバー２０を図５に示すカバー１２０のような構成としてもよく、カバー１２０の構成に対応させて、図６に示すように筐体１００の下端に嵌合突起１００ａを設けるようにしてもよい。
詳細には、図５に示すようにカバー１２０は、開口１２４ａ、１２４ｂが形成された円筒状の取付部１２４と、この取付部１２４の開口１２４ａに設けられた布体１２６とから構成されるようにしてもよい。
【００１８】
取付部１２４は、例えば、プラスチックで形成される。取付部１２４は、開口１２４ｂの縁部にこの開口１２４ｂの内側に向かって、突設された複数の嵌合凸部１２４ｃと、この複数の嵌合凸部１２４ｃ間に形成された複数の嵌合凹部１２４ｄとを有する。取付部１２４は、さらに開口の外側に向かって突設され、使用者によって持たれる爪部１２４ｅを有する。
布体１２６は、図３に示したカバー２０と対応する構成・機能を備える。したがってここでは詳細な説明は省略する。
【００１９】
以上のように構成・機能を有するカバー１２０は筐体１００の下端に取り付けられる。詳細には、図６（ａ）の一点鎖線で示すようにまずカバー１２０の嵌合凹部１２４ｄと、筐体１００の嵌合突起１００ａとの位置を対応させつつ、布体１２６によって筐体１００の開口が覆われるようにカバー１２０を筐体１００の頂部方向に持っていく。嵌合突起１００ａが嵌合凹部１２４ｄを通過した所で、図６（ｂ）に示すように嵌合凸部１２４ｃが嵌合突起１００ａ上に引っ掛かるようにカバー１２０を筐体１００の外周面の周方向に沿わせてひねる。この結果筐体１００に対してしてカバー１２０が確実に係止され、カバー１２０が本体１０から自然に取れてしまうことが防止される。
カバー１２０を筐体１００から取り外すときは、使用者が爪部１２４ｅを指で掴んで、カバー１２０を筐体１００に取り付けたときとは逆方向にカバー１２０を筐体１００の外周面の周方向に沿わせてひねる。こうすることで、嵌合凸部１２４ｃと嵌合突起１００ａの引っ掛かりが解けて、カバー１２０を筐体１００から簡単に取り外すことができる。
【００２０】
このように構成されたカバー１２０を用いることで、布体１２６によって毛髪が回転軸Ｂに巻き付きついてしまったり、マッサージローラ１１０Ａ〜１１０Ｃ間の隙間に使用者の衣服や皮膚が巻き込まれるようにして引き込まれてしまったりすることを確実に防止することができる。さらに、カバー２０の伸縮性・可撓性によって肌面を確実にタッピングすることができる。そして、カバー１２０を確実に本体１０に係止させることができる。
【００２１】
以上が、本考案に係る電動式ローラマッサージ機１の変形例であるが、電動式ローラマッサージ機１はさらなる変形も可能である。例えば、ギアボックス１０６や二次電池１０８を備えない構成としてもよい。また電動式ローラマッサージ機１では刺激付与体としてマッサージローラ１１０Ａ〜１１０Ｃの３つを備えたが、この個数は限定されず更に多くのマッサージローラ１１０Ａ〜１１０ｎまでを備える構成であってもよい。
【符号の説明】
【００２２】
１１０Ａ〜１１０ｎ…マッサージローラ、１…電動式ローラマッサージ機、１０…本体、２０…カバー、２１…肌接触面、２３…棘接触面、２４…取付部、１００…筐体、１００ａ…嵌合突起、１０１…電源接続端子、１０２…握持部、１０３…電動モータ、１０４…スイッチ、１０５…回転盤、１０６…ギアボックス、１０８…二次電池、１１０ａ，１１０ｂ…ローラ、１１２…棘、１２０…カバー、１２４…取付部、１２４ａ，１２４ｂ…開口、１２４ｃ…嵌合凸部、１２４ｄ…嵌合凹部、１２４ｅ…爪部、１２６…布体、Ａ…主軸、Ｂ１〜Ｂ３…回転軸。
【図１】
0003174864.tif 000003
【図２】
0003174864.tif 000004
【図３】
0003174864.tif 000005
【図４】
0003174864.tif 000006
【図５】
0003174864.tif 000007
【図６】
0003174864.tif 000008